(57)【要約】【課題】表示装置にコンテンツを簡易に表示させることを可能にすること。【解決手段】実施形態によれば、複数の表示装置のうちの１つ以上の表示装置にコンテンツを表示するための電子機器は、表示処理部と、指定手段と、登録処理部と、会計処理部と、出力部とを具備する。表示処理部は、表示装置と時間帯との複数の組み合わせのうち、登録可能な表示装置と時間帯との組み合わせを１以上表示する。指定手段は、前記１以上の組み合わせのうちから第１表示装置と第１時間帯との第１組み合わせを指定可能である。登録処理部は、第１コンテンツを登録する。会計処理部は、前記第１組み合わせに応じた金額の会計処理を行う。出力部は、前記会計処理部により会計処理が行われた場合、前記第１コンテンツを前記第１表示装置上に前記第１時間帯に表示するための指示を出力する。【選択図】    図３
2016149068.tif 000002
【特許請求の範囲】
【請求項１】
複数の表示装置のうちの１つ以上の表示装置にコンテンツを表示するための電子機器であって、
表示装置と時間帯との複数の組み合わせのうち、登録可能な表示装置と時間帯との組み合わせを１以上表示するための表示処理部と、
前記１以上の組み合わせのうちから第１表示装置と第１時間帯との第１組み合わせを指定可能な指定手段と、
第１コンテンツを登録する登録処理部と、
前記第１組み合わせに応じた金額の会計処理を行う会計処理部と、
前記会計処理部により会計処理が行われた場合、前記第１コンテンツを前記第１表示装置上に前記第１時間帯に表示するための指示を出力する出力部と
を具備する電子機器。
【請求項２】
同一時間帯、且つ隣接する複数の第２表示装置が指定された場合、単一のコンテンツが前記複数の第２の表示装置に拡大して表示される
請求項１に記載の電子機器。
【請求項３】
前記第１コンテンツ内の内容、およびユーザ認証が行われたかに応じて、前記登録処理部は、前記コンテンツの登録を許可または拒否する
請求項１に記載の電子機器。
【請求項４】
前記指定手段によって、前記複数の表示装置のうちの、第３表示装置を指定可能であり、
前記第３表示装置が指定された場合、前記第３表示装置に表示されている第２コンテンツに関連する印刷物を出力させることが可能な印刷処理部を更に具備する
請求項１に記載の電子機器。
【請求項５】
カメラを更に具備し、
前記カメラによって撮影されたユーザの顔写真に基づいた認識の結果に応じて、前記登録処理部は、前記第１コンテンツの登録を許可または拒否する
請求項１に記載の電子機器。
【請求項６】
複数の表示装置のうちの１つ以上の表示装置にコンテンツを表示するための方法であって、
表示装置と時間帯との複数の組み合わせのうち、登録可能な表示装置と時間帯との組み合わせを１以上表示し、
第１コンテンツを登録し、
前記１以上の組み合わせのうちから第１表示装置と第１時間帯との第１組み合わせが指定された場合に、前記第１組み合わせに応じた金額の会計処理を行い、
会計処理が行われた場合、前記第１コンテンツを前記第１表示装置上に前記第１時間帯に表示するための指示を出力する、
方法。
【請求項７】
同一時間帯、且つ隣接する複数の第２表示装置が指定された場合、単一のコンテンツが前記複数の第２表示装置に拡大して表示される
請求項６に記載の方法。
【請求項８】
前記第１コンテンツ内の内容、およびユーザ認証が行われたかに応じて、前記登録処理部は、前記第１コンテンツの登録を許可または拒否する
請求項６に記載の方法。
【請求項９】
前記複数の表示装置のうちの、第３表示装置が指定された場合、前記第３表示装置に表示されている第２コンテンツに関連する印刷物が出力可能である
請求項６に記載の方法。
【請求項１０】
カメラによって撮影されたユーザの顔写真に基づいた認識の結果に応じて、前記第１コンテンツの登録を許可または拒否する
請求項６に記載の方法。
【請求項１１】
コンピュータによって実行され、複数の表示装置のうちの１つ以上の表示装置にコンテンツを表示するためのプログラムであって、
表示装置と時間帯との複数の組み合わせのうち、登録可能な表示装置と時間帯との組み合わせを１以上表示する手順と、
第１コンテンツを登録する手順と、
前記１以上の組み合わせのうちから第１表示装置と第１時間帯との第１組み合わせが指定され、前記第１組み合わせに応じた金額の会計処理が行われた場合、前記第１コンテンツを前記第１表示装置上に前記第１時間帯に表示するための指示を出力する手順と
を前記コンピュータに実行させるプログラム。
【請求項１２】
同一時間帯、且つ隣接する複数の第２表示装置が指定された場合、単一のコンテンツが前記複数の第２表示装置に拡大して表示される
請求項１１に記載のプログラム。
【請求項１３】
前記第１コンテンツ内の内容、およびユーザ認証が行われたかに応じて、前記第１コンテンツの登録を許可または拒否する手順を前記コンピュータに実行させる
請求項１１に記載のプログラム。
【請求項１４】
前記複数の表示装置のうちの、第３表示装置が指定された場合、前記第３表示装置に表示されている第２コンテンツに関連する印刷物が出力可能である
請求項１１に記載のプログラム。
【請求項１５】
カメラによって撮影されたユーザの顔写真に基づいた認識の結果に応じて、前記第１コンテンツの登録を許可または拒否する手順を前記コンピュータに実行させる
請求項１１に記載のプログラム。
【発明の詳細な説明】
【技術分野】
【０００１】
本発明の実施形態は、表示装置に表示されるコンテンツを登録する技術に関する。
【背景技術】
【０００２】
現在、表示装置にコンテンツ（広告）を表示するデジタルサイネージが普及し始めて折り、駅や電車内、大型商業施設などの公共の場で、大型の表示装置に様々な広告が表示されるようになっている。
【先行技術文献】
【特許文献】
【０００３】
【特許文献１】特開２００８−２２５５５号公報
【発明の概要】
【発明が解決しようとする課題】
【０００４】
ただし、公共の場のデジタルサイネージに表示される広告は一般的に大企業や当該商業施設の広告であり、個人商店や、個人的なお知らせを一時的に出すといったような用途にはつかえなかった。これは、公共の場にデジタルサイネージを出すには、専門の業者に依頼する必要があり、手続きも煩雑で高価であるというためである。
【０００５】
そこで、個人商店や個人的なお知らせを一時的に出すような場合に、安価で簡易に使える広告登録および広告表示システムを提案する。
【０００６】
本発明の目的は、表示装置にコンテンツを簡易に表示させることを可能にする電子機器を提供することにある。
【課題を解決するための手段】
【０００７】
実施形態によれば、複数の表示装置のうちの１つ以上の表示装置にコンテンツを表示するための電子機器は、表示処理部と、指定手段と、登録処理部と、会計処理部と、出力部とを具備する。表示処理部は、表示装置と時間帯との複数の組み合わせのうち、登録可能な表示装置と時間帯との組み合わせを１以上表示する。指定手段は、前記１以上の組み合わせのうちから第１表示装置と第１時間帯との第１組み合わせを指定可能である。登録処理部は、第１コンテンツを登録する。会計処理部は、前記第１組み合わせに応じた金額の会計処理を行う。出力部は、前記会計処理部により会計処理が行われた場合、前記第１コンテンツを前記第１表示装置上に前記第１時間帯に表示するための指示を出力する。
【図面の簡単な説明】
【０００８】
【図１】実施形態のシステム構成の一例を示すブロック図である。
【図２】電子機器、複数の表示装置、およびプリンタの外観の一例を示す図。
【図３】電子機器のシステム構成の一例を示すブロック図。
【図４】広告登録／印刷アプリケーションの機能ブロック図。
【図５】メニュー表示シーケンスの手順の一例を示すフローチャート。
【図６】タッチスクリーンディスプレイに表示されるトップメニュー画面の一例を示す図。
【図７】タッチスクリーンディスプレイに表示されるメニュー画面の一例を示す図。
【図８】サイネージ登録シーケンスの手順の一例を示すフローチャート。
【図９】サイネージ登録シーケンスの手順の一例を示すフローチャート。
【図１０】タッチスクリーンディスプレイに表示されるユーザ認証画面の一例を示す図。
【図１１】タッチスクリーンディスプレイに表示される画面の一例を示す図。
【図１２】タッチスクリーンディスプレイに表示される、コンテンツ転送モードと、コンテンツ作成モードとの何れかをユーザに選択させるための画面の一例を示す図。
【図１３】タッチスクリーンディスプレイに表示される料金の表示画面の一例を示す図。
【図１４】タッチスクリーンディスプレイに表示される登録確認画面の一例を示す図。
【図１５】サイネージ印刷シーケンスの手順の一例を示すフローチャート。
【図１６】タッチスクリーンディスプレイに表示される、印刷したいコンテンツが表示されている表示装置を選択するための選択画面の一例を示す図。
【図１７】タッチスクリーンディスプレイに表示される印刷画面の一例を示す図。
【図１８】タッチスクリーンディスプレイに表示される印刷終了画面の一例を示す図。
【図１９】隣接する４台の表示装置に、単一のコンテンツが拡大して表示された状態を示す図。
【発明を実施するための形態】
【０００９】
以下、実施の形態について図面を参照して説明する。
【００１０】
図１は、システムの構成を示すブロック図である。
【００１１】
システムは、電子機器１０、複数の表示制御装置２１Ａ，２１Ｂ，２１Ｃ，２１Ｄ、複数の表示装置２２Ａ，２２Ｂ，２２Ｃ，２２Ｄ、認証サーバ３１、管理サーバ３２、およびプリンタ４０等を備えている。
【００１２】
電子機器１０、複数の表示制御装置２１Ａ，２１Ｂ，２１Ｃ，２１Ｄ、複数の表示装置２２Ａ，２２Ｂ，２２Ｃ，２２Ｄ、認証サーバ３１、管理サーバ３２、プリンタ４０は、ネットワークＡに接続され、ネットワークＡを介して互いに通信可能である。
【００１３】
電子機器１０は、たとえば、タブレット型パーソナルコンピュータ、ラップトップ型またはノートブック型のパーソナルコンピュータとして実現し得る。
【００１４】
電子機器１０は、広告主が表示装置により表示される表示コンテンツ、プリンタ４０により印刷される印刷コンテンツを表示するための端末である。表示コンテンツおよび印刷コンテンツは、管理サーバ３２に送られる。
【００１５】
各表示制御装置２１Ａ，２１Ｂ，２１Ｃ，２１Ｄは、管理サーバ３２の指示により、対応する表示装置２２Ａ，２２Ｂ，２２Ｃ，２２Ｄに広告コンテンツを表示させる。
【００１６】
認証サーバ３１は、後述するユーザＩＤとパスワードとを用いた認証処理を行う。また、認証サーバ３１は、後述する広告主の顔写真を用いた顔認識処理を行っても良い。
【００１７】
広告を表示するための、表示制御装置２１Ａ，２１Ｂ，２１Ｃ，２１Ｄと表示装置２２Ａ，２２Ｂ，２２Ｃ，２２Ｄとは、電子機器１０とは別の構成にしたが、表示制御装置２１Ａ，２１Ｂ，２１Ｃ，２１Ｄの機能を操作端末に担わせて、電子機器１０と表示装置２２Ａ，２２Ｂ，２２Ｃ，２２ＤをＨＤＭＩケーブルなどで接続する構成でもよい。また、表示装置２２Ａ，２２Ｂ，２２Ｃ，２２Ｄの数は、制限されるものではない。
【００１８】
認証サーバ３１、および管理サーバ３２は、電子機器１０内に収めてもよいし、インターネットを介して接続されていてもよい。
【００１９】
プリンタ４０は、ネットワークを介しての接続としたが、電子機器１０とＵＳＢケーブルなどで接続されていてもよい。
【００２０】
その他についても、上記は一例であり、特に構成を制限するものではない。
【００２１】
図２は、電子機器１０、複数の表示装置２２Ａ，２２Ｂ，２２Ｃ，２２Ｄ、およびプリンタ４０の外観を示す図である。
【００２２】
複数の表示装置２２Ａ，２２Ｂ，２２Ｃ，２２Ｄがタイル状に配列されている。各表示装置２２Ａ，２２Ｂ，２２Ｃ，２２Ｄに広告が表示される。表示装置２２Ａ，２２Ｂ，２２Ｃ，２２Ｄに広告を表示させたい広告主は、電子機器１０を操作することによって、広告コンテンツの登録、表示装置および表示時間帯の指示、および料金（金額）の支払い（広告表示枠の購入）を行う。広告を印刷したいユーザが、電子機器１０を操作することによって、印刷したい広告が選択され、プリンタ４０によって印刷される。
【００２３】
電子機器１０は、タッチスクリーンディスプレイ１７、カメラ１０８、および料金会計処理部１１０等を備えている。料金会計処理部１１０は、表示装置２２Ａ，２２Ｂ，２２Ｃ，２２Ｄのうちの１台以上の表示装置に広告（コンテンツ）を表示させる対価としての料金の会計処理を行う。料金会計処理部１１０は、紙幣や硬貨等の現金を入れられるほかに、電子マネーやクレジットカードでの支払いに対応していてもよい。
【００２４】
図３は、電子機器１０のシステム構成を示すブロック図である。  
電子機器１０は、図２に示されるように、タッチスクリーンディスプレイ１７、ＣＰＵ１０１、システムコントローラ１０２、主メモリ１０３、グラフィクスコントローラ１０４、ＢＩＯＳ−ＲＯＭ１０５、不揮発性メモリ１０６、データ通信部１０７、カメラ１０８、ＢＴモジュール１０９、料金会計処理部１１０、およびエンベデッドコントローラ（ＥＣ）１１１等を備える。
【００２５】
ＣＰＵ１０１は、電子機器１０内の各種モジュールの動作を制御するプロセッサである。ＣＰＵ１０１は、ストレージデバイスである不揮発性メモリ１０６から揮発性メモリである主メモリ１０３にロードされる各種ソフトウェアを実行する。これらソフトウェアには、オペレーティングシステム（ＯＳ）２００、および各種アプリケーションプログラムが含まれている。各種アプリケーションプログラムには、広告登録／印刷アプリケーション（ＡＰＰ）３００が含まれる。
【００２６】
また、ＣＰＵ１０１は、ＢＩＯＳ−ＲＯＭ１０５に格納された基本入出力システム（ＢＩＯＳ）も実行する。ＢＩＯＳは、ハードウェア制御のためのプログラムである。
【００２７】
システムコントローラ１０２は、ＣＰＵ１０１のローカルバスと各種コンポーネントとの間を接続するデバイスである。システムコントローラ１０２には、主メモリ１０３をアクセス制御するメモリコントローラも内蔵されている。また、システムコントローラ１０２は、ＰＣＩ  ＥＸＰＲＥＳＳ規格のシリアルバスなどを介してグラフィクスコントローラ１０４との通信を実行する機能も有している。
【００２８】
グラフィクスコントローラ１０４は、電子機器１０のディスプレイモニタとして使用されるＬＣＤ１７Ａを制御する表示コントローラである。このグラフィクスコントローラ１０４によって生成される表示信号はＬＣＤ１７Ａに送られる。ＬＣＤ１７Ａは、表示信号に基づいて画面イメージを表示する。このＬＣＤ１７Ａ上にはタッチパネル１７Ｂが配置されている。タッチパネル１７Ｂは、ＬＣＤ１７Ａの画面上で入力を行うための静電容量式のポインティングデバイスである。指が接触される画面上の接触位置および接触位置の動き等はタッチパネル１７Ｂによって検出される。
【００２９】
データ通信部１０７は、ユーザのスマートフォンなどの端末と通信を行う。データ通信部１０７は、非接触の通信方式、たとえばＴｒａｎｓｆｅｒＪｅｔ（登録商標）などに対応していてもよい。また、データ通信部１０７は、ＵＳＢポートを有し、ユーザの端末とＵＳＢケーブルでつないでもよい。ＥＣ１１１は、電力管理のためのエンベデッドコントローラを含むワンチップマイクロコンピュータである。ＥＣ１１１は、ユーザによるパワーボタンの操作に応じて電子機器１０を電源オンまたは電源オフする機能を有している。
【００３０】
図４は、広告登録／印刷アプリケーション３００の機能ブロック図である。  
図４に示すように、広告登録／印刷アプリケーション３００は、メニュー画面表示処理部４０１、認証処理部４０２、印刷処理部４０３、位置／時間帯指定処理部４０４、モード選択画面表示処理部４０５、コンテンツ受信処理部４０６、コンテンツ作成処理部４０７、およびコンテンツ登録処理部４０８等を備える。
【００３１】
メニュー画面表示処理部４０１は、タッチスクリーンディスプレイ１７に後述するトップメニュー画面やメニュー画面を表示させるための処理を行う。認証処理部４０２は、後述するユーザ認証を行うための処理を行う。印刷処理部４０３は、指定された表示装置を指定可能に表示されている第１コンテンツに関連する印刷物をプリンタ４０から出力させることが可能である。位置／時間帯指定処理部４０４は、ユーザに広告を表示させる表示装置および時間帯を指定させるための処理を行う。モード選択画面表示処理部４０５は、後述するコンテンツ転送モードと、コンテンツ作成モードとの何れかをユーザに選択させるための処理を行う。コンテンツ転送モードが選択された場合、コンテンツ受信処理部４０６は、コンテンツを受信する処理を行う。コンテンツ作成モードが選択された場合、コンテンツ作成処理部４０７は、コンテンツを受信する処理を行う。コンテンツ登録処理部４０８は、転送または作成されたコンテンツを管理サーバ３２に登録する処理を行う。コンテンツ登録処理部４０８は、管理サーバ３２に登録されたコンテンツを指定された表示装置上に指定された時間帯に表示するための指示を出力する。
【００３２】
図５は、メニュー表示シーケンスの手順を示すフローチャートである。
【００３３】
メニュー画面表示処理部４０１は、図６に示すトップメニュー画面６００をタッチスクリーンディスプレイ１７に表示させるための処理を行う。ユーザがトップメニュー画面６００内のスタートボタン６０１をタッチすると、メニュー画面表示処理部４０１は、図７に示すメニュー画面７００をタッチスクリーンディスプレイ１７に表示させるための処理を行う（ステップＢ１１）。メニュー画面７００には、サイネージ（広告）を出したい人のためのメニューであるサイネージ登録ボタン７０１と、サイネージの情報を印刷したい人のメニューであるサイネージ印刷ボタン７０２とが表示される。
【００３４】
ユーザがタッチスクリーンディスプレイ１７上をタッチすると、メニュー画面表示処理部４０１は、サイネージ登録メニューが選択されたかを判定するために、サイネージ登録ボタン７０１がタッチされたかを判定する（ステップＢ１２）。サイネージ登録ボタン７０１がタッチされたと判定した場合（ステップＢ１２のＹｅｓ）、広告登録／印刷アプリケーション３００は、後述するサイネージ登録シーケンスに移行する（ステップＢ１３）。
【００３５】
サイネージ登録ボタン７０１がタッチされていないと判定した場合（ステップＢ１２のＮｏ）、メニュー画面表示処理部４０１は、サイネージ印刷メニューが選択されたかを判定するために、サイネージ印刷ボタン７０２がタッチされたかを判定する（ステップＢ１４）。サイネージ印刷ボタン７０２がタッチされたと判定した場合（ステップＢ１４のＹｅｓ）、広告登録／印刷アプリケーション３００は、後述するサイネージ印刷シーケンスに移行する（ステップＢ１５）。
【００３６】
図８および図９は、サイネージ登録シーケンスの手順を示すフローチャートである。
【００３７】
認証処理部４０２は、図１０に示すユーザ認証画面９００をタッチスクリーンディスプレイ１７に表示させるための処理を行う（ステップＢ２１）。ユーザ認証はアカウントとパスワードなどによって行われる。ユーザは認証を行うかスキップするか選択することができる。例えば、認証が行われると、登録できる広告コンテンツの自由度があがる。
【００３８】
ＯＫボタン９０１がタッチされた場合、認証処理部４０２は、入力されたアカウントとパスワードを認証サーバ３１に通知する。認証サーバ３１は、通知されたアカウントとパスワードを用いて認証を行う。認証サーバ３１は、認証結果を広告登録／印刷アプリケーション３００に送信する。認証結果が成功を示している場合（ステップＢ２２のＹｅｓ）、広告登録／印刷アプリケーション３００は、次のステップＢ２４の処理を実行する。
【００３９】
スキップボタン９０２がタッチされた場合（ステップＢ２３のＹｅｓ）、広告登録／印刷アプリケーション３００は、次のステップＢ２４の処理を実行する。
【００４０】
認証に成功した場合（ステップＢ２２のＹｅｓ）、または認証がスキップされた場合（ステップＢ２３のＹｅｓ）、位置／時間帯指定処理部４０４は、広告を表示する時間帯と表示する位置（表示装置）を選択する画面をタッチスクリーンディスプレイ１７に表示させるための処理を行う。この画面１１００の例を図１１に示す。どの表示装置に表示するかと、どの時間帯に表示するかのスロットがグリッドで表示される。画面１１００には、登録可能な表示装置と時間帯との組み合わせを１以上表示される。スロット１つは時刻指定、例えばある１日の１４：００からの一時間の間を占有する形式でもよいし、たとえば１スロット３０秒でスロットが２０スロットまであり、１０分おきに自分の広告コンテンツが３０秒が流れるのが１日続く、という形式でもよい。既に登録がされて埋まっている箇所はグレーアウト表示することで、登録可能な箇所がわかるようにしても良い。
【００４１】
広告を表示する時間帯と表示位置が選択されると（ステップＢ２５のＹｅｓ）、モード選択画面表示処理部４０５は、ユーザ自身のスマホなどで作成されたコンテンツを電子機器１０に転送するコンテンツ転送モードと、電子機器１０を操作してコンテンツを作成するコンテンツ作成モードとの何れかをユーザに選択させるための画面をタッチスクリーンディスプレイ１７に表示させるための処理を行う（ステップＢ２６）。この画面の例を図１２に示す。図１２に示すように、画面１２００は、コンテンツ転送モードを選択するためのボタン１２０１と、作成モードを選択するためのボタン１２０２とを有する。
【００４２】
コンテンツ転送モードが選択された場合（ステップＢ２７のＹｅｓ）、コンテンツ受信処理部４０６は、コンテンツ待ち受け状態になる（ステップＢ２８）。ここでは、例えばスマートフォンなどにインストールされた専用アプリを用いて作成されたコンテンツが転送される。転送はデータ通信部１０７を介して行ってもよいし、転送のためのIDなどを発行してインターネットを介して行ってもよい。コンテンツが転送されると（ステップＢ２９のＹｅｓ）、広告登録／印刷アプリケーション３００は、ステップＢ３３の処理を実行する。
【００４３】
コンテンツ作成モードが選択された場合（ステップＢ３０のＹｅｓ）、コンテンツ作成処理部４０７は、ユーザに広告コンテンツを作成させるための画面をタッチスクリーンディスプレイ１７に表示させるための処理を行う（ステップＢ３１）。ユーザは、電子機器１０を用いて、文字を入力したり、画像を選択したりして広告コンテンツを作成する。文字のみ電子機器１０に入力し、画像はスマホから転送するといった組み合わせの形式でもよい。コンテンツが作成されると（ステップＢ３２のＹｅｓ）、広告登録／印刷アプリケーション３００は、ステップＢ３３の処理を実行する。
【００４４】
ステップＢ３３の処理では、コンテンツ登録処理部４０８は、転送または作成されたコンテンツにユーザ認証が必要な内容が含まれるかを判定する（ステップＢ３３）。たとえば、コンテンツが文字のみの内容であればユーザ認証不要、コンテンツに画像や動画が含まれていればユーザ認証必要といったものである。ユーザ認証が必要なコンテンツが含まれていると判定した場合（ステップＢ３３のＹｅｓ）、コンテンツ登録処理部４０８は、ユーザ認証が行われているかを判定する（ステップＢ３４）。ユーザ認証が行われていないと判定した場合（ステップＢ３４のＮｏ）、コンテンツ登録処理部４０８は、タッチスクリーンディスプレイ１７にコンテンツがリジェクトされた旨の表示をするための処理を行う（ステップＢ３６）。その後、広告登録／印刷アプリケーション３００は、ステップＢ２６からの処理を順次実行する。
【００４５】
ユーザ認証が必要なコンテンツが含まれていないと判定した場合（ステップＢ３３のＮｏ）、またはユーザ認証が行われていると判定した場合（ステップＢ３４のＹｅｓ）、コンテンツ登録処理部４０８は、転送または作成されたコンテンツに、公序良俗に反するコンテンツが含まれているかを判定する（ステップＢ３５）。たとえばＮＧワードリストを用意しておき、各ＮＧワードがコンテンツの文字列に含まれないかのチェックを行うなどを行う。なお、転送されたまたは作成されたコンテンツに、画像が含まれた場合、画像を外部のサーバに転送し、サーバ側で自動またはオペレータによって、画像が公序良俗に反するかを判定しても良い。
【００４６】
公序良俗に反するコンテンツが含まれていると判定した場合（ステップＢ３５のＹｅｓ）、コンテンツ登録処理部４０８は、タッチスクリーンディスプレイ１７にコンテンツがリジェクトされた旨の表示をする（ステップＢ３６）。その後、広告登録／印刷アプリケーション３００は、ステップＢ２６からの処理を順次実行する。
【００４７】
その後、コンテンツ登録処理部４０８は、カメラ１０８によってユーザの顔写真を撮影する。ユーザの顔写真が撮影された場合（ステップＢ３７のＹｅｓ）、ユーザの顔写真が撮影された場合、コンテンツ登録処理部４０８は、顔写真のデータを認証サーバ３１に送信する。認証サーバ３１は、撮影された顔写真とブラックリストとに基づいて、撮影された人物がが問題があるユーザではないかを判定するための顔認識処理が行う（ステップＢ３８）。ブラックリストには、以前に問題あるコンテンツを登録したなどの問題ある人物の顔写真および認識に用いるデータが格納されている。認証サーバ３１は、判定結果を広告登録／印刷アプリケーション３００に送信する。なお、電子機器１０が顔認識を行っても良い。
【００４８】
問題があるユーザであると判定された場合（ステップＢ３８のＮｏ）、コンテンツ登録処理部４０８は、転送されたまたは作成されたコンテンツを削除し、コンテンツの登録を拒否する（ステップＢ４２）。
【００４９】
問題があるユーザではないと判定された場合（ステップＢ３８のＹｅｓ）、コンテンツ登録処理部４０８は、コンテンツの登録を許可し、タッチスクリーンディスプレイ１７に料金を表示する（ステップＢ３９）。図１３に、料金の表示画面１３００の一例を示す。料金が投入される、または電子マネーによる会計処理が終了すると（ステップＢ４０のＹｅｓ）、コンテンツ登録処理部４０８は、タッチスクリーンディスプレイ１７に登録が完了した旨を表示させるための処理を行う（ステップＢ４１）。図１４に、登録確認画面１４００の一例を示す。コンテンツ登録処理部４０８は、管理サーバ３２にコンテンツ、指定された表示装置を示す表示装置情報、および指定されたコンテンツの表示時間帯を示す時間帯情報をアップロード(出力)し、管理サーバ３２にコンテンツを登録する。
【００５０】
管理サーバ３２は、アップロードされたコンテンツと、コンテンツの表示時間を示す表示時間情報とを指定された表示装置に対応する表示制御装置に送信する。表示制御装置は、表示時間情報に従って、コンテンツを指定された表示装置の表示画面に表示させる。
【００５１】
図１５は、サイネージ印刷シーケンスの手順を示すフローチャートである。  
印刷コンテンツは、表示されている広告コンテンツのキャプチャ画面そのものでもよいし、クーポンや地図などを入れた、表示されている広告コンテンツとは別のものでもよい。
【００５２】
印刷処理部４０３は、印刷したいコンテンツが表示されている表示装置を選択するための選択画面をタッチスクリーンディスプレイ１７に表示させるための処理を行う（ステップＢ５１）。図１６に選択画面１６００の一例を示す。
【００５３】
印刷処理部４０３は、表示装置が選択されたかを判定する（ステップＢ５２のＹｅｓ）。表示装置が選択されたと判定した場合、印刷処理部４０３は、選択された表示装置に表示されている広告に関連する印刷画面をタッチスクリーンディスプレイ１７に表示させるための処理を行う（ステップＢ５３）。印刷画面の一例を図１７に示す。印刷確認画面の１７００内の領域１７０１には、印刷される内容が表示される。
【００５４】
タッチスクリーンディスプレイ１７にタッチ操作が行われた場合、印刷処理部４０３は、次の広告ボタン１７０３がタッチされたかを判定する（ステップＢ５４）。次の広告ボタン１７０３がタッチされたと判定した場合（ステップＢ５４のＹｅｓ）、印刷処理部４０３は、領域１７０１に表示されている内容に関連する広告の次の広告に関連する印刷内容を領域１７０１に表示させるための処理を行う（ステップＢ５５）。
【００５５】
次の広告ボタン１７０３がタッチされていないと判定した場合（ステップＢ５５のＮｏ）、印刷処理部４０３は、印刷ボタン１７０２がタッチされたかを判定する（ステップＢ５６）。印刷ボタン１７０２がタッチされたと判定した場合（ステップＢ５６のＹｅｓ）、印刷処理部４０３は、プリンタ４０から印刷物を出力させるための処理を行う。（ステップＢ５７）。印刷処理部４０３は、タッチスクリーンディスプレイ１７に印刷が終了したことを示す印刷終了画面を表示させるための処理を行う（ステップＢ５８）。図１８に印刷終了画面１８００の一例を示す。
【００５６】
なお、料金は、表示装置の位置、表示装置の大きさ、表示される時間帯に応じて予め決定されている。例えば、表示装置が見にくい位置に設置されていれば料金を安く設定し、表示装置が見やすい位置に設置されていれば料金を高く設定する。
【００５７】
複数の表示装置のうちの、登録可能な表示装置の数に応じて料金を自動的に変更するようにしても良い。例えば、既に登録が多く行われており残っている登録可能な表示装置の数が少ないほど料金を高くしても良い。
【００５８】
ある期間の登録率によって、次の期間の料金が変動してもよい。例えば、全てのスロットが登録されて埋まっている状態が３日間続いた場合には、次の日から料金を高くしてもよい。
【００５９】
登録可能なスロットを複数を一括購入された場合、料金を割り引くようにしても良い。最終的に登録が行われなかったスロットに表示する権利を購入できるようにしても良い。
【００６０】
なお、連続する複数の時間帯が指定された場合、指定された時間帯の長さに応じて、料金を変更しても良い。例えば、指定された時間帯の長さが長いほど、料金の割引率を高くしても良い。
【００６１】
また、ユーザ認証が行われている場合、ユーザの購入履歴に応じて、料金を変更しても良い。例えば、広告表示枠の購入量が多いほど、料金の割引率を高くしても良い。
【００６２】
また、ユーザごとに料金を設定しても良い。例えば、ユーザ認証が行われている場合と、ユーザ認証が行われていない場合とで料金を変更しても良い。また、ユーザ認証が行われている場合、ユーザに応じて料金を設定しても良い。
【００６３】
同一時間帯に隣接する複数の表示装置を指定することも可能である。同一時間帯に隣接する複数の表示装置を指定された場合、管理サーバ３２は、指定された複数の表示装置に単一のコンテンツを拡大して表示させるために、指定された複数の表示装置の表示領域の合計画素数に応じたコンテンツデータを生成する。管理サーバ３２は、生成されたコンテンツデータから、表示装置毎の分割コンテンツデータを生成する。管理サーバ３２は、生成された分割コンテンツデータと表示時間帯情報とを対応する表示制御装置にそれぞれ送信する。表示制御装置は、指定された時間帯に分割コンテンツデータに応じたコンテンツを表示させる。その結果、単一のコンテンツが指定された複数の表示装置に拡大して表示される。管理サーバ３２から各表示制御装置にコンテンツのうち表示すべき位置情報が送られ、各表示制御装置が表示すべき位置に応じてコンテンツを拡大してもよい。
【００６４】
例えば、図１９に示すように、指定された隣接する４台の表示装置２２Ａ，２２Ｂ，２２Ｃ，２２Ｄに、単一のコンテンツが拡大して表示される。
【００６５】
認証サーバ３１は、撮影された顔写真とホワイトリストとに基づいて、撮影された人物がが問題がないユーザではないかを判定するための顔認識処理を行っても良い。ホワイトリストには、以前に問題あるコンテンツを登録したことがないなどの問題のない人物の顔写真および顔認識に用いるデータが格納されている。
【００６６】
上述したように、表示装置と時間帯との複数の組み合わせのうち、登録可能な表示装置と時間帯との組み合わせを１以上表示し、コンテンツを登録し、１以上の組み合わせのうちから第１表示装置と第１時間帯との第１組み合わせが指定された場合に、第１組み合わせに応じた金額の会計処理を行い、会計処理が行われた場合、コンテンツを前記第１表示装置上に前記第１時間帯に表示するための指示を出力することで、表示装置にコンテンツを簡易に表示させることを可能にする。
【００６７】
なお、本実施形態の各種処理はコンピュータプログラムによって実現することができるので、このコンピュータプログラムを格納したコンピュータ読み取り可能な記憶媒体を通じてこのコンピュータプログラムをコンピュータにインストールして実行するだけで、本実施形態と同様の効果を容易に実現することができる。
【００６８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６９】
１０…電子機器、１７…タッチスクリーンディスプレイ、２１Ａ，２１Ｂ，２１Ｃ，２１Ｄ…表示制御装置、２２Ａ，２２Ｂ，２２Ｃ，２２Ｄ…表示装置、３１…認証サーバ、３２…管理サーバ、４０…プリンタ、１０１…ＣＰＵ、１０３…主メモリ、１０６…不揮発性メモリ、１０７…データ通信部、１０８…カメラ、１１０…料金会計処理部、１１１…エンベデッドコントローラ、２００…オペレーティングシステム、３００…広告登録／印刷アプリケーション、４０１…メニュー画面表示処理部、４０２…認証処理部、４０３…印刷処理部、４０４…時間帯指定処理部、４０５…モード選択画面表示処理部、４０６…コンテンツ受信処理部、４０７…コンテンツ作成処理部、４０８…コンテンツ登録処理部。
【図１】
2016149068.tif 000003
【図２】
2016149068.tif 000004
【図３】
2016149068.tif 000005
【図４】
2016149068.tif 000006
【図５】
2016149068.tif 000007
【図６】
2016149068.tif 000008
【図７】
2016149068.tif 000009
【図８】
2016149068.tif 000010
【図９】
2016149068.tif 000011
【図１０】
2016149068.tif 000012
【図１１】
2016149068.tif 000013
【図１２】
2016149068.tif 000014
【図１３】
2016149068.tif 000015
【図１４】
2016149068.tif 000016
【図１５】
2016149068.tif 000017
【図１６】
2016149068.tif 000018
【図１７】
2016149068.tif 000019
【図１８】
2016149068.tif 000020
【図１９】
2016149068.tif 000021